【事件の表示】
　特願２００１−１１３６９３「スクリーン印刷装置」拒絶査定不服審判事件〔平成１４年１０月２３日出願公開、特開２００２−３０７６５２〕について、次のとおり審決する。
【結　論】
　本件審判の請求は、成り立たない。
【理　由】
第１　手続の経緯  
　本願は、平成１３年４月１２日の出願であって、平成２１年１１月２０日付け拒絶理由通知に対して、平成２２年１月２１日付けで手続補正がなされたが、同年２月１８日付けで拒絶査定がなされ、これに対し、同年４月１３日に拒絶査定不服審判が請求されると同時に手続補正がなされたものである。　
　そして、当審において、平成２２年６月２８日付けで審査官により作成された前置報告書について、同年１０月１３日付けで審尋を行ったところ、同年１２月８日付けで回答書が提出されたものである。  
　  
第２　本願発明  
　本願の請求項１及び２に係る発明は、平成２２年４月１３日付け手続補正により補正された請求項１及び２に記載された事項により特定されるとおりのものであり、その請求項１に係る発明は（以下「本願発明」という。）は、以下のとおりのものである。 　　  
　　
「【請求項１】マスクプレート上でスキージヘッドを移動させることにより、マスクプレートのパターン孔を介して基板にペーストを印刷するスクリーン印刷装置であって、前記スキージヘッドをマスクプレートに対してそれぞれ水平方向に移動させ、昇降させる水平移動手段、昇降手段と、スキージヘッドをマスクプレートに対して押圧する押圧手段とを備え、前記スキージヘッドは、下端部がマスクプレートに対して所定のアタック角度で摺接しスキージング方向が互いに反対の２枚の摺動部材と、これらの摺動部材の上端部を結合しスキージング方向と直交する水平軸廻りの回転変位を許容した状態で前記押圧手段に保持させる保持手段と、前記摺動部材がマスクプレートに摺接した状態においてマスクプレートと前記２つの摺動部材との間に形成されるペーストの貯溜空間とを備え、
　印刷対象の基板表面に反りを生じているような場合であっても、互いに反対のスキージング方向へスキージヘッドを移動させて前記
２つの摺動部材をマスクプレート上で摺動させる際には、前記スキージヘッドがスキージング方向と直交する水平軸廻りに回転することにより前記摺動部材の下端部は前記マスクプレートの表面形状に追従し
　　　
第３　引用文献に記載の事項  
　原査定の拒絶の理由に引用され本願出願前に頒布された刊行物である特開平５−２８６１１５号公報（以下「引用文献」という。）には、図とともに以下の事項が記載されている。  
    　
１　「【特許請求の範囲】
【請求項１】  回路基板に設けた複数個の導体部に対応する開孔部が形成されたスクリーンマスクの上面に摺接し、前記開孔部に半固形状の半田を充填するスキージを相対向して一対配置し、このスキージの両側部に下端縁が前記各スキージの下端縁と面一となる側板を配設して
スキージ本体
半田形成印刷装置
【請求項２】  
スキージ本体の上部に半田を収容する容器を設ける
【請求項３】  スキージ本体と容器との間に配設されスクリーンマスクの上面を前記スキージ本体の下端部が摺接するときスクリーンマスク側に押圧力を付勢する一方、前記スキージ本体側に作用する接触圧を吸収する圧接調節機構とを設けたことを特徴とする請求項１または２の半田形成印刷装置。
【請求項４】  スクリーンマスクの寸法を入力する入力部と、この入力部からの寸法データに基づいてスキージによる印刷開始点および印刷終了点の位置データを算出する演算部と、この演算結果を受けてスキージ本体を移動させる駆動部に対し制御信号を送出する制御部とを備えたことを特徴とする請求項１の半田形成印刷装置。」
    　
２　「【００１４】
【作用】本発明においては、スキージ本体の上部側等に半固形状の半田を供給する開口のみ設けておく。そして、
回路基板の上面にスクリーンマスクを配置し、このスクリーンマスク上にスキージ本体を当接させる
【００１５】この状態で、半田供給部が半固形状の半田をスクリーンマスク上に落下させ、
対向するスキージの方向に沿ってスキージ本体を移動させると、一方のスキージにより半田が開孔部に順次充填される
【００１６】また、スキージ本体の下端縁が面一となっていることから、スクリーンマスクの上面に沿って平行移動させるとき、このスクリーンマスクが浮き上がることなく摺接するので、各開孔部に均質に半田を充填することができる。
【００１７】さらに、半固形状の半田は外気から遮断されるので、急速に冷却したり塵埃が付着することなく、その活性が保たれる。
【００１８】そして、半固形状の半田を補充しつつ一方向への充填作業が終了すると、他方のスキージにより反対方向への充填作業を開始する。このような作業を繰り返し、全開孔部に半田が印刷された後、硬化を待ってスクリーンマスクを取り除くと、回路基板に設けた複数個の導体部に半田部が形成される。
【００１９】また、スキージ本体の上部に設けた容器に半田を収容して、半田供給部により半田温度を設定しておくと、スクリーンマスク上においては、安定した粘度を保つことが可能となり、塗布に際してはスキージによるローリングが支障なく行われ、開孔部への充填むらが生じることなく均質な印刷を行うことができる。
【００２０】また、
スキージ本体の下端部がスクリーンマスクの上面を摺接するとき
スクリーンマスクには均等な荷重がかかり、スキージ本体とスクリーンマスクとの間には間隙が発生しない状態となる
　　  　
３　「【００２２】
【実施例】以下、本発明の一実施例について、図面を参照しながら説明する。
【００２３】図１は半田形成印刷装置の断面図、図２は同全体構成を示す斜視図である。
【００２４】この半田形成印刷装置は、
スキージ本体１の上部に容器２を配置し、この容器２とスキージ本体１との間に圧接調節機構３を介設して構成され
【００２５】なお、
スクリーンマスク９は、回路基板８に設けた複数個の導体部８ａに対応する箇所に開孔部９ａを形成している
【００２６】前記
スキージ本体１は、一対のスキージ４，５と図２に示す側板６，６とからなり、保持具７に配設されている
前後部のスキージ４，５は板状で、各上端４ａ，５ａが保持具７の両側面に固着されている
【００２７】前記
保持具７は断面が台形状
    　
４　「【００３３】
圧接調節機構３は、スクリーンマスク９の上面に摺接するスキージ本体１の圧接力を調節するもの
複数個のヘッドバランサ２２〜２５、スライドブロック２６〜２７、枠体２８および回動部材２９，３０等を備えており、図１に示す容器２の外周と保持具７との間に配設されている
【００３４】前後部のヘッドバランサ２２，２３は、図２および図５（ａ）に示すように、容器２の前後側壁の中央に固定され、左右のヘッドバランサ２４，２５は、図５（ｂ）に示す如く容器２の左右側壁の中央にそれぞれ固定されている。前後部のヘッドバランサ２２，２３は、各シャフト２２ａ，２３ａがプレート３１の上面に固定されている。このプレート３１は、保持具７の上面に固定され、水平方向に延出させている。また、左右のヘッドバランサ２４，２５は、各シャフト２４ａ，２５ａが枠体２８の長さ方向中央にそれぞれ固定されている。
【００３５】スライドブロック２６〜２７は、シリンダにより上下動するシャフト２６ａ〜２７ａを備えたもので、各シャフト２６ａ〜２７ａの付勢力を調節可能となっている。前部のスライドブロック２６，２６は、容器２の前側壁において、両側部に２個が水平方向に突設され、後部のスライドブロック２７，２７も、後側壁において両側部に２個が水平方向に突設されている。
【００３６】前部のスライドブロック２６，２６の各シャフト２６ａ，２６ａは、前部側の回動部材２９の両端部に固着され、後部のスライドブロック２７，２７の各シャフト２７ａ，２７ａも、それぞれ後部側の回動部材３０の両端部に固着されている。そして、各スライドブロック２６〜２７の側部と回動部材２９，３０との間には、それぞれスプリング３２が介設されている。   　
【００３７】
枠体２８は容器２の外形より大きく形成され、左右の下面に支持部材３３が固定されていて、前後の側方には前記回動部材２９，３０が各一対配されるようになっている。左右の支持部材３３は、支軸３４により保持具７の左右側部にそれぞれ回動自在に軸支され、前後の回動部材２９，３０も支軸３５により枠体２８の前後部にそれぞれ回動自在に軸支されている。
【００３８】これにより、上記
圧接調節機構３は、回動部材２９，３０、枠体２８および保持具７を介してスキージ本体１を懸吊し
【００３９】また、前部および後部のヘッドバランサ２２，２３は、図５（ａ）に示すように、スキージ本体１の移動方向に応じて各シャフト２２ａ，２３ａの付勢力を可変することができ、前方に移動させるとき前部のスキージ４を後部のスキージ５よりも強い押圧力とし、この逆方向に移動させるときは後部のスキージ５の押圧力が強くなるように調整可能となっている。
【００４０】さらに、左右のヘッドバランサ２４，２５については、図５（ｂ）に示しており、スクリーンマスク９のセンターを移動させるとき同一の押圧力とするが、スクリーンマスク９の左端縁側または右端縁側を移動させるときには傾斜が生じるので、この傾きに応じて何れか一方のバランサの押圧力が強くなるように調整可能となっている。
【００４１】しかして、
圧接調節機構３は、スキージ本体１の下端部がスクリーンマスク９上を摺接するとき、各バランサ２２〜２５によりスクリーンマスク９側に適当な押圧力を付勢し
スクリーンマスク９の上面とスキージ本体１の下端部との間に間隙が生じるのを防止して、外気の浸入により半田１０ｃにダストが混入したり、冷却による硬化を回避することが可能となるものである
　  　
５　「【００４５】次に、半田印刷作業の動作について説明する。
【００４６】まず、容器２内に回路基板の１枚分に相当する半田量および印刷枚数に応じた供給量を決定し、必要な本数の半田１０を収容部１６に収容する。そして、半田１０を加温しておき、裏面等をクリーニングしておいたスクリーンマスク９を回路基板８の上面に配置する。
【００４７】つぎに、
スクリーンマスク９の幅寸法等を入力し、クリーム状となった半田１０ｃがスクリーンマスク９の上面に落下した時点で印刷を開始する。ここでは、スキージ本体１を降下してスクリーンマスク９上に当接させると
【００４８】この状態で、図８に示すように、
スキージ本体１を実線位置から仮想線位置まで直線移動させると、後部のスキージ５によりクリーム半田１０ｃがローリングしつつスキージ５の押し込み力によって開孔部９ａに順次充填される
移動させる往復移動を何回か繰り返すと、前後部のスキージ４，５により半田１０ｃが開孔部９ａに充填される
【００４９】ここで、スキージ本体１の下端部が摺接するとき、スクリーンマスク９に圧接する一方のスキージに荷重がかかるため、進行方向の前方側にあるスクリーンマスク９や回路基板８が反って浮き上がることなく、スキージ本体１内の気密が保たれる。」
　　　　　　　　
６　「【００５４】
【発明の効果】以上説明したように本発明は、
スキージ本体をスクリーンマスクの上面に当接させたとき、スクリーンマスクとスキージ本体との間に密閉空間が形成され、スキージ本体を移動させるとき、粘度の安定した半固形状の半田を適量供給しつつ開孔部に充填することができる
【００５５】また、側板によってスキージ本体の外方に半田の漏れるのが防止されるため、半田供給時のロスが大幅に軽減される。
【００５６】また、スキージ本体の下端縁が面一となっており、
圧接調節機構を設けていることから、スキージがスクリーンマスクの上面を摺接するとき、スクリーンマスクや回路基板が反り返ることなく密接する
    　
７　上記５の「スキージ本体１を降下してスクリーンマスク９上に当接させる」及び「スキージ本体１を実線位置から仮想線位置まで直線移動させる」との記載から、上記１の「半田形成印刷装置」が、「水平移動手段」及び「昇降手段」を備えていることは明らかである。
　  　
８　上記記載から、引用文献には次の発明（以下「引用発明」という。）が記載されていると認められる。　　  
　 　  
「回路基板の上面に開孔部が形成されたスクリーンマスクを配置し、クリーム状となった半田をスクリーンマスクの上面に落下させ、スクリーンマスク上にスキージ本体を当接させ、スキージ本体の往復移動を何回か繰り返すことにより、半田を開孔部に充填する
半田形成印刷装置
　スキージ本体をスクリーンマスク上で往復移動させ、昇降させる、水平移動手段及び昇降手段と、
　スキージ本体の下端部がスクリーンマスク上を摺接するとき、スクリーンマスク側に適当な押圧力を付勢するとともに、スクリーンマスクの上面に摺接するスキージ本体の圧接力を調節する圧接調節機構とを備え、
　スキージ本体は、一対のスキージと側板とからなり保持具に配設されており、スキージの各上端は保持具の両側面に固着され、
　スキージ本体の上部には半田を収容する容器が設けられ、スキージ本体をスクリーンマスク上に当接させたとき、スクリーンマスクとスキージ本体との間に密閉空間が形成され、スキージ本体を移動させるとき、粘度の安定した半固形状の半田を適量供給しつつ開孔部に充填することができ、
　圧接調節機構は、回動部材、枠体および保持具を介してスキージ本体を懸吊し、
　枠体の左右の下面には支持部材が固定され、左右の支持部材は支軸により保持具の左右側部にそれぞれ回動自在に軸支されており、
　枠体の前後の側方には回動部材が配され、前後の回動部材も支軸により枠体の前後部にそれぞれ回動自在に軸支されており、
　スキージ本体の下端部がスクリーンマスクの上面を摺動するとき、スキージ本体とスクリーンマスクとの間に間隙が発生しない、半田形成印刷装置。」
　　　 
第４　対比・判断  
１　対比　
　本願発明と引用発明とを対比する。  
（１）引用発明の「スクリーンマスク」は本願発明の「マスクプレート」に相当し、同様に、
「スキージ本体」は「スキージヘッド」に、
「往復移動」は「移動」に、
「開孔部」は「パターン孔」に、
「半田」は「ペースト」に、
「回路基板」は「基板」に、
「『スクリーンマスク』を用いる『半田形成印刷装置』」は「スクリーン印刷装置」に、
「水平移動手段及び昇降手段」は「水平移動手段、昇降手段」に、
「一対のスキージ」は「２枚の摺動部材」に、
「『半田』が『供給』される『密閉空間』」は「貯溜空間」に、それぞれ、相当する。
　
（２）上記（１）より、
引用発明の
半田形成印刷装置
　スキージ本体をスクリーンマスク上で往復移動させ、昇降させる、水平移動手段及び昇降手段と、
　スキージ本体の下端部がスクリーンマスク上を摺接するとき、スクリーンマスク側に適当な押圧力を付勢するとともに、スクリーンマスクの上面に摺接するスキージ本体の圧接力を調節する圧接調節機構とを備え」は、
　
本願発明の
　　
（３）引用発明においては、「スキージの各上端が
保持具
保持具
　してみれば、引用発明の「保持具」は、本願発明の「摺動部材の上端部を結合しスキージング方向と直交する水平軸廻りの回転変位を許容した状態で前記押圧手段に保持させる保持手段」に相当する。
      　
（４）また、引用発明は「スキージ本体の下端部がスクリーンマスクの上面を摺動するとき、スキージ本体とスクリーンマスクとの間に間隙が発生しない」ものである。
　してみると、引用発明においては、スキージ本体とスクリーンマスクとのなす角度は所定の角度に保たれ、本願発明の「スキージヘッドは、下端部がマスクプレートに対して所定のアタック角度で摺接し」及び「いずれの方向へのスキージング動作においても前記２つの摺動部材がマスクプレートの上面となす前記所定のアタック角度が常に一定に保たれる」との構成を備えていることになる。
　    　
（５）上記（３）及び（４）より、
　
引用発明の
　枠体の左右の下面には支持部材が固定され、左右の支持部材は支軸により保持具の左右側部にそれぞれ回動自在に軸支されており、
　枠体の前後の側方には回動部材が配され、前後の回動部材も支軸により枠体の前後部にそれぞれ回動自在に軸支されており、
　スキージ本体の下端部がスクリーンマスクの上面を摺動するとき、スキージ本体とスクリーンマスクとの間に間隙が発生しない」と、
　
本願発明の
印刷対象の基板表面に反りを生じているような場合であっても
「互いに反対のスキージング方向へスキージヘッドを移動させて前記２つの摺動部材をマスクプレート上で摺動させる際には、前記スキージヘッドがスキージング方向と直交する水平軸廻りに回転することにより
前記摺動部材と前記マスクプレートとの間に間隙が発生せず
　
（６）してみると、本願発明と引用発明とは以下の点で一致する。 　  
　＜一致点＞  
「マスクプレート上でスキージヘッドを移動させることにより、マスクプレートのパターン孔を介して基板にペーストを印刷するスクリーン印刷装置であって、前記スキージヘッドをマスクプレートに対してそれぞれ水平方向に移動させ、昇降させる水平移動手段、昇降手段と、スキージヘッドをマスクプレートに対して押圧する押圧手段とを備え、前記スキージヘッドは、下端部がマスクプレートに対して所定のアタック角度で摺接しスキージング方向が互いに反対の２枚の摺動部材と、これらの摺動部材の上端部を結合しスキージング方向と直交する水平軸廻りの回転変位を許容した状態で前記押圧手段に保持させる保持手段と、前記摺動部材がマスクプレートに摺接した状態においてマスクプレートと前記２つの摺動部材との間に形成されるペーストの貯溜空間とを備え、
　互いに反対のスキージング方向へスキージヘッドを移動させて前記２つの摺動部材をマスクプレート上で摺動させる際には、前記スキージヘッドがスキージング方向と直交する水平軸廻りに回転することにより
前記摺動部材と前記マスクプレートとの間に間隙が発生せず
　　 　 
（７）一方で、本願発明と引用発明とは、以下の点で相違する。  
　＜相違点＞ 　 
　摺動部材の下端部とマスクプレートとの関係について
　本願発明は「印刷対象の基板表面に反りを生じているような場合であっても」、「摺動部材の下端部は前記マスクプレートの表面形状に追従し」と特定されるものであるのに対して、引用発明は上記特定を有していない点。
    　
２　判断  
　上記＜相違点＞について検討する。  
（１）表面に反りやうねりを生じている回路基板は、本願出願前に周知である（例えば、特開平１０−７６６３２号公報の【０００７】、特開平９−３００５８４号公報の【０００４】、特開平６−２３８８６９号公報の【００１０】を参照。以下「周知技術」という。）。
　　
（２）してみれば、引用発明において、上記周知の基板を用いることは、当業者が適宜なし得たことである。
　そして、上記周知の基板を用いた場合に、スキージ本体（摺動部材）の下端部がスクリーンマスク（マスクプレート）の上面を摺動するとき、摺動部材とマスクプレートとの間に間隙が発生しないように圧接調整機構（押圧手段）を調節することは、当業者が容易になし得たことである。
    　
（３）上記周知の基板を用いた場合においても、摺動部材とマスクプレートとの間に間隙が発生しないということは、摺動部材の下端部がマスクプレートの表面形状に追従するということである。
　
（４）上記（３）からして、引用発明は、上記＜相違点＞に係る本願発明の構成を備えることになる。
　　　　
（５）以上のことから、引用発明において、上記＜相違点＞に係る本願発明の構成を採用することは、当業者が上記周知技術に基づいて容易になし得たことである。　 
　  　
（６）また、本願発明の奏する効果も、引用発明及び周知技術から当業者が予測し得る範囲内のものである。　　  
　　  　
３　むすび  
　以上のとおり、本願発明は、当業者が引用文献に記載された発明及び周知技術に基づいて容易に発明をすることができたものであるから、特許法第２９条第２項の規定により特許を受けることができない。  
　よって、結論のとおり審決する。